(57)【要約】【課題】低振動、低騒音でコンパクトな人体乾燥装置を提供する。【解決手段】被洗浄面に加圧空気を噴出する乾燥ノズルに加圧空気を供給する蓄圧手段２３を備え、前記蓄圧手段２３は、空気を加圧する加圧手段２２と、この加圧手段による加圧空気を蓄えるとともに前記乾燥ノズルと接続した蓄圧タンク２３ａと、前記加圧手段２２を収納する収納ケース４８とを有する人体乾燥装置としたことにより、加圧手段２２から発生した振動や動作音等の騒音が収納ケース４８を介して外に伝わるのを無くして蓄圧手段２３の静音性を確保した。【選択図】  図２
2004190280.tif 000002
【特許請求の範囲】
【請求項１】
衛生洗浄装置の本体に設けられ、被洗浄面に加圧空気を噴出する乾燥ノズルと、この乾燥ノズルに加圧空気を供給する蓄圧手段とを備え、前記蓄圧手段は、空気を加圧する加圧手段と、この加圧手段による加圧空気を蓄えるとともに前記乾燥ノズルと接続した蓄圧タンクと、前記加圧手段を収納する収納ケースとを有する人体乾燥装置。
【請求項２】
蓄圧タンクに設けた空気接続管を、収納ケースに設けた空気接続管挿入部を通して加圧手段の空気管に接続した請求項１に記載の人体乾燥装置。
【請求項３】
空気管をフレキシブルチューブで構成した請求項２に記載の人体乾燥装置。
【請求項４】
空気管を湾曲させて蓄圧タンクと加圧手段を接続した請求項２または３に記載の人体乾燥装置。
【請求項５】
空気管の一部に吸振手段を設けた請求項２〜４のいずれか１項に記載の人体乾燥装置。
【請求項６】
収納ケースの空気接続管挿入部に封止部を設けた請求項２に記載の人体乾燥装置。
【請求項７】
封止部を弾性部材で構成した請求項６に記載の人体乾燥装置。
【請求項８】
収納ケースに収納する加圧手段を、引張ばねにより吊り下げて弾性支持するとともに、この引張ばねの取り付け部には吸振部材を設けた請求項１〜７のいずれか１項に記載の人体乾燥装置。
【請求項９】
収納ケースの壁面に設けた空気の吸引口に、加圧手段の電源リード線を通した請求項１〜８のいずれか１項に記載の人体乾燥装置。
【請求項１０】
加圧手段の電源リード線を、フィルターを兼ねた保持部材で空気の吸引口に取り付けた請求項９に記載の人体乾燥装置。
【請求項１１】
空気の吸気口に、外に行くにしたがって内径が大きくなる消音器を設けた請求項９または１０に記載の人体乾燥装置。
【請求項１２】
空気の吸引口を覆ってカバーを設け、吸引口の外側に空間を構成するとともに、前記カバーに吸引口より開口面積が大きい貫通孔を設けた請求項９または１０に記載の人体乾燥装置。
【請求項１３】
乾燥ノズルと蓄圧タンク間に設ける開閉弁を、防振部材を介して蓄圧タンクに取り付けた請求項１に記載の人体乾燥装置。
【請求項１４】
収納ケースと蓄圧タンクの隙間に防振部材を設けた請求項１に記載の人体乾燥装置。
【発明の詳細な説明】
【０００１】
【発明の属する技術分野】
本発明は、シャワーや衛生洗浄便座等に適用される衛生洗浄装置において、洗浄後の被洗浄面に加圧空気を供給し乾燥促進を行なわせる人体乾燥装置にするものである。
【０００２】
【従来の技術】
従来、衛生洗浄装置においては、洗浄後、被洗浄面に加圧空気と温風を供給して乾燥させるものが知られている（例えば、特許文献１参照）。
【０００３】
これは、加圧空気を噴射させ、残留付着した水滴を吹き飛ばし拡散させると、細かな水滴または薄い水膜状になるので、その後に温風乾燥すると、濡れた被洗浄面の全体を短時間で万遍なく乾燥することができるからである。
【０００４】
【特許文献１】
特開昭５８−２１８５３１号公報
【０００５】
【発明が解決しようとする課題】
しかしながら、水滴を吹き飛ばし拡散させるほどの加圧空気の供給には、加圧手段が大型になり、これを装備する衛生洗浄装置はその本体が大型化し、脱臭装置等の構成要素を含めると、さらに顕著になるという課題があった。そこで、加圧手段を衛生洗浄装置の本体外へ出すと、加圧手段の振動、動作音等の騒音が課題となる。
【０００６】
本発明は、前記従来の課題を解決するもので、衛生洗浄装置の本体外に加圧手段を設置しても振動や動作音が小さい人体乾燥装置を提供することを目的とするものである。
【０００７】
【課題を解決するための手段】
前記目的を達成するために、本発明の人体乾燥装置は、蓄圧手段を、空気を加圧する加圧手段と、この加圧手段による加圧空気を蓄えるとともに乾燥ノズルと接続した蓄圧タンクと、前記加圧手段を収納する収納ケースとで構成したものである。
【０００８】
これによって、高速乾燥機能を付加することができるとともに、加圧手段を収納ケースの中空に収めることにより、加圧手段から発生した振動や動作音等の騒音が外に伝わるのを無くし、静音性を確保したため、衛生洗浄装置の本体外への設置等の取扱いが容易になる。
【０００９】
【発明の実施の形態】
請求項１に記載の発明は、衛生洗浄装置の本体に設けられ、被洗浄面に加圧空気を噴出する乾燥ノズルと、この乾燥ノズルに加圧空気を供給する蓄圧手段とを備え、前記蓄圧手段は、空気を加圧する加圧手段と、この加圧手段による加圧空気を蓄えるとともに前記乾燥ノズルと接続した蓄圧タンクと、前記加圧手段を収納する収納ケースとを有する人体乾燥装置とすることにより、高速乾燥機能を付加することができるとともに、加圧手段が収納ケースに収納され、加圧手段から発生した振動や動作音等の騒音が外に伝わるのを無くし、静音性を確保したため、衛生洗浄装置の本体外への設置等の取扱いが容易になる。
【００１０】
請求項２に記載の発明は、蓄圧タンクに設けた空気接続管を、収納ケースに設けた空気接続管挿入部を通して加圧手段の空気管に接続した請求項１に記載の人体乾燥装置とすることにより、加圧手段と蓄圧タンクを密に構成することができ、蓄圧手段の小型化が図れるものである。
【００１１】
請求項３に記載の発明は、空気管をフレキシブルチューブで構成した請求項２に記載の人体乾燥装置とすることにより、加圧手段から発生した振動をフレキシブルチューブで吸収し、蓄圧タンクに伝わるのを少なくして、蓄圧手段の振動、騒音を低減することができる。
【００１２】
請求項４に記載の発明は、空気管を湾曲させて蓄圧タンクと加圧手段を接続した請求項２または３に記載の人体乾燥装置とすることにより、加圧手段から発生する振動を湾曲部で吸収することができ、更に蓄圧手段の振動、騒音を低減することができる。
【００１３】
請求項５に記載の発明は、空気管の一部に吸振手段を設けた請求項２〜４のいずれか１項に記載の人体乾燥装置とすることにより、加圧手段から発生した振動が蓄圧手段に伝わるのを無くし、蓄圧手段の振動、騒音を大幅に低減することができる。
【００１４】
請求項６に記載の発明は、収納ケースの空気接続管挿入部に封止部を設けた請求項２に記載の人体乾燥装置とすることにより、空気接続管挿入部から加圧手段の動作音が漏れるのを防止することになり、蓄圧手段の騒音を低減することができる。
【００１５】
請求項７に記載の発明は、封止部を弾性部材で構成した請求項６に記載の人体乾燥装置とすることにより、加圧手段の振動が収納ケースに伝わるのを防止することになり、蓄圧手段の振動、騒音を低減することができる。
【００１６】
請求項８に記載の発明は、収納ケースに収納する加圧手段を、引張ばねにより吊り下げて弾性支持するとともに、この引張ばねの取り付け部には吸振部材を設けた請求項１〜７のいずれか１項に記載の人体乾燥装置とすることにより、加圧手段の振動による引張ばねの取り付け部における接触音を無くすことになり、蓄圧手段の騒音を低減することができる。
【００１７】
請求項９に記載の発明は、収納ケースの壁面に設けた空気の吸引口に、加圧手段の電源リード線を通した請求項１〜８のいずれか１項に記載の人体乾燥装置とすることにより、収納ケースの開口部面積が小さくなり、加圧手段から発生する騒音の漏れが少なくなり、蓄圧手段の騒音を低減することができる。
【００１８】
請求項１０に記載の発明は、加圧手段の電源リード線を、フィルターを兼ねた保持部材で空気の吸引口に取り付けた請求項９に記載の人体乾燥装置とすることにより、加圧手段の振動で電源リード線が吸引口端部に擦れ被覆が損傷するのを防止すると同時に、異物の侵入を防ぐことになり、安全性を向上することができる。
【００１９】
請求項１１に記載の発明は、空気の吸気口に、外に行くにしたがって内径が大きくなる消音器を設けた請求項９または１０に記載の人体乾燥装置とすることにより、、加圧手段の吸気による吸引口の気流音が小さくなり、蓄圧手段の騒音を低減することができる。
【００２０】
請求項１２に記載の発明は、空気の吸引口を覆ってカバーを設け、吸引口の外側に空間を構成するとともに、前記カバーに吸引口より開口面積が大きい貫通孔を設けた請求項９または１０に記載の人体乾燥装置とすることにより、吸引口の外側に設けた空間のバッファ作用と、開口面積を大きくしたことによる気流の速度低下によって気流音が無くなり、蓄圧手段の騒音を更に低減することができる。
【００２１】
請求項１３に記載の発明は、乾燥ノズルと蓄圧タンク間に設ける開閉弁を、防振部材を介して蓄圧タンクに取り付けた請求項１に記載の人体乾燥装置とすることにより、開閉弁の開閉時に発生する動作振動が吸収され、音の増幅作用の有る蓄圧タンクに伝わらなくなり、蓄圧手段の振動、騒音を低減することができる。
【００２２】
請求項１４に記載の発明は、収納ケースと蓄圧タンクの隙間に防振部材を設けた請求項１に記載の人体乾燥装置とすることにより、収納ケースから伝わる加圧手段の振動が防振部材で遮断され蓄圧タンクが共振しなくなり、蓄圧手段の振動、騒音を大幅に低減することができる。
【００２３】
【実施例】
以下本発明の実施例について、図面を参照しながら説明する。
【００２４】
（実施例１）
図１、図２は本発明の実施例１における衛生洗浄装置の人体乾燥装置を示したものである。
【００２５】
図において、１は便器、１ａは便器ボウル、２は便座、３は便座蓋、９は水洗タンク（ロータンク）である。４は衛生洗浄装置の本体である。この内部には、洗浄水を加熱する加熱手段およびその温水を圧送する送水ポンプ（いずれも図示せず）を設け、送水ポンプに人体を洗浄する洗浄ノズル１０を接続し、洗浄ノズル１０を便器ボウル１ａに配設している。洗浄ノズル１０は洗浄時に便器ボウル１ａの後部より中央方向に向けて突出するようにしている。水道管に給水元弁を介して加熱手段に水を給水して加熱し、送水ポンプで洗浄ノズル１０に圧送し、洗浄ノズル１０から被洗浄面に噴射しこれにより洗浄が行われる。
【００２６】
また、衛生洗浄装置は、洗浄後の被洗浄面を乾燥するため、被洗浄面に残留付着した水滴を吹き飛ばして飛散または拡散させる人体乾燥装置と、温風乾燥手段を設けているものである。
【００２７】
人体乾燥装置は、衛生洗浄装置の本体４に設けられ、被洗浄面に加圧空気を噴出する乾燥ノズル２４と、この乾燥ノズル２４に加圧空気を供給する蓄圧手段２３とを備え、前記蓄圧手段２３は、空気を加圧する加圧手段２２と、この加圧手段２２による加圧空気を蓄えるとともに前記乾燥ノズル２４と接続した蓄圧タンク２３ａと、前記加圧手段２２を収納する収納ケース４８とを有する。前記蓄圧手段２３は、本体４外で便器１の側方の適所に配置され、本体４の乾燥ノズル２４と配管４５により接続され、また本体４の制御部（図示せず）と電源リード線４６により接続されている。また、乾燥ノズル２４は、加圧空気を噴出することにより、洗浄後の被洗浄面の乾燥促進をさせるものであり、使用時に便器ボウル１ａ内の中央寄りに突出して被洗浄面に略垂直に加圧空気を噴出する。この場合、乾燥ノズル２４は公知の手段、例えばモータ駆動や水圧駆動により、伸縮または折り畳み可能に構成しており、乾燥使用時に便器ボウル１ａ内の中央寄りに移動する。また、乾燥ノズル２４からの加圧空気の噴出は開閉弁２５、例えば電磁弁により制御される。
【００２８】
温風乾燥手段３１は、温風を発生する温風吐出手段と、発生した温風を被洗浄面に向けて吹き出すノズルからなるものであるが、ここでは省略する。
【００２９】
４０はコンセント、４１はコンセント４０に接続される受電部、４２は操作パネル、４３はリモコン操作器である。リモコン操作器４３は送信信号を操作パネル４２等に設けた受信部で受信させることにより、制御部により操作パネル４２を直接操作したのと同様に遠隔操作可能にしている。
【００３０】
この衛生洗浄装置は、便座蓋３を開き便座２に着座し、用便等の後に操作パネル４２またはリモコン操作器４３を操作して、まず洗浄が行われる。これは上記したように給水元弁が開き、水道水が加熱手段に供給されて加熱され、送水ポンプにより洗浄ノズル１０から洗浄水が噴出し被洗浄面を洗浄する。次に人体乾燥装置を操作し、加圧空気を被洗浄面に噴出して水滴を吹き飛ばして拡散する。これは後述の加圧手段２２の動作により蓄圧タンク２３ａに加圧空気を溜め、開閉弁２５を開いて蓄圧手段２３から乾燥ノズル２４に加圧空気を送り被洗浄面に噴出させる。その後または人体乾燥装置と同時に温風乾燥手段を操作し温風を被洗浄面に吹き出して温風乾燥する。
【００３１】
加圧手段２２の関連構成の詳細は図２に示している。蓄圧手段２３は、空気を加圧する加圧手段２２と、加圧された高圧空気を蓄える蓄圧タンク２３ａと、加圧手段２２を収納する収納ケース４８とを有し、蓄圧タンク２３ａは開閉弁２５を介して乾燥ノズル２４に接続している。収納ケース４８の内壁は、吸音材４８ａで覆われており、加圧手段２２の動作音等の騒音を吸収し収納ケース４８の外部に漏れないようにしている。開閉弁２５は蓄圧タンク２３ａに取り付けられている。
【００３２】
さらに図２について説明すると、蓄圧タンク２３ａは空気入り口５０と高圧空気出口５１を有する。加圧手段２２は空気ポンプ５５とモータ５２を有し、モータ５２は保持具５３を介して収納ケース４８内に設けた取付台５４に取り付けられている。保持具５３は、取付台５４に設置される保持具５３ａ、加圧手段２２を収納ケース４８の中空に弾性支持する引張ばね５３ｂ、加圧手段２２に引張ばね５３ｂを取り付ける支持具５３ｃで構成されている。４６はモータ５２の電源用の電源リード線で、収納ケース４８を貫通して外部に引き出されている。空気ポンプ５５は□字形板状のベース５７の一片がモータ５２の前端部に取付けられ、モータ軸に取付けた小歯車６６がベース５７内に位置している。ベース５７の他片にシリンダ５８の後端部が取付けられ、その前端部に逆止作用を有する吸入弁部６０と吐出弁部６１とが設けられ、吐出弁部６１は蓄圧タンク２３ａの空気入り口５０と空気管７２により接続されている。
【００３３】
シリンダ５８内を往復可能なピストン６３は、モータ軸と平行な軸６５を介してピストンロッド６４の一端に接続され、ピストンロッド６４はベース５７の貫通穴５９を通してシリンダ５８の外部に突出している。ベース５７には小歯車６６に噛合する大歯車６７が取り付けられ、大歯車６７に設けた、軸６５にピストンロッド６４が軸支されている。したがって、モータ５２が回動すると小歯車６６、大歯車６７が回転しこれに伴ってピストンロッド６４がクランク運動してピストン６３がシリンダ５８内を往復する。ピストン６３の吸入弁部６０および吐出弁部６１から離れる動作により吸入弁部６０を通して収納ケース４８の内部から空気をシリンダ５８内に吸入し、ピストン６３が吸入弁部６０および吐出弁部６１に近づく動作でシリンダ５８内の空気を圧縮して吐出弁部６１より蓄圧タンク２３ａ内に押し出す。これにより蓄圧タンク２３ａ内には次第に加圧空気がたまるようになる。
【００３４】
開閉弁２５は本体４に設けてもよいが、図２では蓄圧タンク２３ａの外側に取り付けられて入り口側が高圧空気出口５１に接続され、弁の出口側は乾燥ノズル２４に配管４５により接続されている。この開閉弁２５を開くと、上記したように蓄圧タンク２３ａ内の高圧空気が開閉弁２５および配管４５を通って乾燥ノズル２４より噴出することができる。
【００３５】
本実施例によれば、加圧手段２２、蓄圧タンク２３ａおよび収納ケース４８からなる蓄圧手段２３を単独で構成し、それを本体４の外に設置し、蓄圧手段２３の出口と本体４内の乾燥ノズル２４とを開閉弁２５を介して配管４５で接続することで、洗浄便座に高速乾燥機能を付加することができる。また加圧手段２２を収納ケース４８内の中空に保持具５３で吊り下げ支持して収めることにより、加圧手段２２から発せられる振動や動作音が外に伝わるのを無くし、蓄圧手段２３の振動・騒音を小さくしたため、本体４の外への設置等の取扱が容易になる。また、また、蓄圧タンク２３ａと加圧手段２２を密に構成でき蓄圧手段２３のコンパクト化が図れるため、本体４内に設置することも可能である。
【００３６】
（実施例２）
図３は本発明の実施例２における人体乾燥装置を示すものである。実施例１と基本構成は同じであるので、同一要素には同一符号を付して説明を省略する。
【００３７】
本実施例においては、蓄圧タンク２３ａは空気接続管７１を設け、これを収納ケース４８の壁面に設けた空気接続管挿入部４８ｂに挿入し、加圧手段２２と空気管７２で接続している。
【００３８】
本実施例によれば、加圧手段２２と蓄圧タンク２３ａを密に構成することができ、蓄圧手段２３の小型化を図ることができるものである。
【００３９】
（実施例３）
本発明の実施例３における人体乾燥装置は、実施例２における空気管７２をフレキシブルチューブで構成したものであり、他は実施例２と同じである。
【００４０】
本実施例によれば、加圧手段２２から発生した振動がフレキシブルチューブで吸収され、蓄圧タンク２３ａに伝わるのが少なくなり、蓄圧手段２３の振動、騒音を低減することができる。
【００４１】
（実施例４）
本発明の実施例４における人体乾燥装置は、蓄圧タンク２３ａと加圧手段を上下に略垂直に位置させ、空気管７２に湾曲部７２ａを設けて接続している。その他は各実施例と同様である。
【００４２】
本実施例によれば、加圧手段２２から発生する特に横振動を湾曲部７２ａで吸収することができ、更に蓄圧手段２３の振動、騒音を低減することができる。
【００４３】
（実施例５）
図４、図５は本発明の実施例５における人体乾燥装置を示すものである。図６は、空気管７２の一部に吸振手段７３を設けたものであり、この吸振手段７３は、錘７３ａと、フレキシブルチューブで形成された空気管７２のばね性とで構成されており、加圧手段２２の振動による空気管７２の振動を抑えている。
【００４４】
また、図７に示す吸振手段７３は、収納ケース４８の壁面に設けた圧縮ばねまたは引張ばね７３ｂと、空気管７２に設けたばね取付部７２ａとで構成されており、ばねの力で空気管７２の振動を抑えている。その他は各実施例と同様である。
【００４５】
本実施例によれば、空気管７２の一部に吸振手段７３を設けたことにより、加圧手段２２から発生した振動が蓄圧タンク２３ａに伝わることが無くなり、蓄圧手段２３の振動、騒音を大幅に低減することができる。
【００４６】
（実施例６）
図６は本発明の実施例６における人体乾燥装置を示すものである。
【００４７】
本実施例は、収納ケース４８の空気接続管挿入部４８ｂに封止部７４を設けている。その他は各実施例と同様である。
【００４８】
本実施例によれば、接続管挿入部４８ｂと接続管７１の隙間が無くなり、加圧手段２２の動作音が漏れるのが防止されることになり、蓄圧手段２３の騒音を低減することができる。
【００４９】
（実施例７）
本発明の実施例７における人体乾燥装置は、封止部７４を弾性部材で構成しているものであり、その他は各実施例と同様である。
【００５０】
本実施例によれば、接続管７１に伝わった加圧手段２２の振動が弾性部材で構成された封止部７４で防振され、収納ケース４８に伝わらなくなり、蓄圧手段２３の振動、騒音を低減することができる。
【００５１】
（実施例８）
図７は本発明の実施例８における人体乾燥装置を示すものである。
【００５２】
本実施例においては、保持具５３を、収納ケース４８内に取り付ける保持具５３ａと、加圧手段２２を吊り下げ支持する引張ばね５３ｂと、加圧手段２２に前記引張ばね５３ｂを取り付けるための支持具５３ｃとで構成し、保持具５３の引張ばね取り付け部５３ｄと支持具５３ｃの引張ばね取り付け部５３ｅに吸振部材５３ｆを設けている。その他は各実施例と同様である。
【００５３】
本実施例によれば、加圧手段２２の振動による引張ばね５３ｂと保持具５３ａ及び支持具５３ｃの接触音が無くなり、蓄圧手段２２の騒音を低減することができる。
【００５４】
（実施例９）
図８は本発明の実施例９における人体乾燥装置を示すものである。
【００５５】
本実施例においては、収納ケース４８の壁面に設けた空気の吸引口７５に加圧手段２２の動力用モータの電源リード線４６を通している。その他は各実施例と同様である。
【００５６】
本実施例によれば、収納ケース４８に設ける開口部の面積が必要最小限になり、加圧手段２２から発生する騒音の漏れが少なくなって、蓄圧手段２３の騒音を低減することができる。
【００５７】
（実施例１０）
図９は本発明の実施例１０における人体乾燥装置を示すものである。
【００５８】
本実施例においては、収納ケース４８の壁面に設けた空気の吸引口７５に加圧手段２２の動力用モータの電源リード線４６を通し、フィルターを兼ねた保持部材７５ａで取り付けている。その他は各実施例と同様である。
【００５９】
本実施例によれば、加圧手段２２の振動で電源リード線４６が吸引口７５の端部に擦れ被覆が損傷するのが防止されると同時に異物の侵入を防ぐことになり、安全性を向上することができる。
【００６０】
（実施例１１）
図１０は本発明の実施例１１における人体乾燥装置を示すものである。
【００６１】
本実施例においては、吸気口７５に外に行くにしたがって内径が大きくなる消音器７６を設けている。その他は各実施例と同様である。
【００６２】
本実施例によれば、加圧手段２２の吸気による吸引口７５の気流音が小さくなり、蓄圧手段２３の騒音を低減することができる。
【００６３】
（実施例１２）
図１１は本発明の実施例１２における人体乾燥装置を示すものである。
【００６４】
本実施例においては、収納ケース４８の吸引口７５を覆うカバー７７を設け、吸引口７５の外側に空間７７ａを構成し、カバー７７に吸引口７５より開口面積が大きい貫通孔７７ｂを設けている。その他は各実施例と同様である。
【００６５】
本実施例によれば、吸引口７５の外側に設けた空間７７ａのバッファ作用と、貫通孔７７ｂの開口面積を大きくしたことによる気流の速度低下によって気流音が無くなり、蓄圧手段２３の騒音を更に低減することができる。
【００６６】
（実施例１３）
図１２〜図１４は本発明の実施例１３における人体乾燥装置を示すものである。
【００６７】
図１２においては、開閉弁２５を、防振部材７８を介して蓄圧タンク２３ａに取り付けているものである。
【００６８】
本実施例によれば、開閉弁２５の開閉時に発生する動作振動が吸収され、音の増幅作用の有る蓄圧タンク２３ａに伝わらなくなり、蓄圧手段２３の振動、騒音を低減することができる。
【００６９】
図１３においては、蓄圧タンク蓋２３ｂで蓄圧タンクケース２３ｃの開口部２３ｄを覆うことで、蓄圧タンク２３ａを構成している。そして、パッキン７９で蓄圧タンク蓋２３ｂと蓄圧タンクケース２３ｃとの気密性を確保している。開閉弁２５を蓄圧タンク蓋２３ｂに防振部材７８を介して取り付けているものである。
【００７０】
図１４においては、開閉弁２５は蓄圧タンクケース２３ｃ内に収納される側の蓄圧タンク蓋２３ｂに防振部材７８を介して固定されている。そして、開閉弁２５のリード線２５ａが蓄圧タンク蓋２３ｂを貫通する位置に気密部材２３ｅを設けて蓄圧タンク２３ａの気密性を確保している。  図１２、図１３の本実施例によれば、開閉弁２５の開閉時に発生する動作振動が吸収され、音の増幅作用の有る蓄圧タンク２３ａに伝わらなくなり、蓄圧手段２３の振動、騒音を低減することができると同時に、開閉弁２５を蓄圧タンクケース２３ｃ内に収納した場合は、開閉弁２５の動作音が遮音され、蓄圧手段２３の騒音を更に低減することができる。図１２〜図１４において、その他は各実施例と同様である。
【００７１】
（実施例１４）
図１５は本発明の実施例１４における人体乾燥装置を示すものである。
【００７２】
本実施例においては、収納ケース４８と蓄圧タンク２３ａの隙間８０に防振部材８０ａを挿入しているものである。その他は各実施例と同様である。
【００７３】
本実施例によれば、収納ケース４８から伝わる加圧手段２２の振動が防振部材８０ａで遮断され蓄圧タンク２３ａが共振しなくなり、蓄圧手段２３の振動、騒音を大幅に低減することができる。
【００７４】
【発明の効果】
以上のように、本発明の人体乾燥装置によれば、加圧手段を収納ケースに収納することで、加圧手段の動作振動、動作音を収納ケースの外部に漏らさないようにできるため、本体外へ蓄圧手段を設置しても人体乾燥装置の静音性を確保することができる。また、加圧手段を収納ケースに収めることにより本体外への設置等の取扱が容易になる。
【図面の簡単な説明】
【図１】本発明の実施例１における人体乾燥装置の斜視図
【図２】同人体乾燥装置の蓄圧手段の断面図
【図３】本発明の実施例２〜４における人体乾燥装置の要部断面図
【図４】本発明の実施例５における人体乾燥装置の要部断面図
【図５】同人体乾燥装置の他の例を示す要部断面図
【図６】本発明の実施例５における人体乾燥装置の要部断面図
【図７】本発明の実施例８における人体乾燥装置の要部断面図
【図８】本発明の実施例９における人体乾燥装置の要部断面図
【図９】本発明の実施例１０における人体乾燥装置の要部断面図
【図１０】本発明の実施例１１における人体乾燥装置の要部断面図
【図１１】本発明の実施例１２における人体乾燥装置の要部断面図
【図１２】本発明の実施例１３における人体乾燥装置の要部断面図
【図１３】同人体乾燥装置の他の例を示す要部断面図
【図１４】同人体乾燥装置の更に他の例を示す要部断面図
【図１５】本発明の実施例１４における人体乾燥装置の要部断面図
【符号の説明】
４  本体
２２  加圧手段
２３  蓄圧手段
２３ａ  蓄圧タンク
２４  乾燥ノズル
２５  開閉弁
４６  電源リード線
４８  収納ケース
４８ｂ  空気接続管挿入部
５２  モータ
５３  保持具
５３ｂ  引張ばね
５３ｄ  保持具の引張ばね取り付け部
５３ｅ  支持具の引張ばね取り付け部
５３ｆ  吸振部材
５４  取り付け台
５５  空気ポンプ
７１  空気接続管
７２  空気管
７４  封止部
７５  吸引口
７５ａ  保持部材
７６  消音器
７７  カバー
７７ａ  空間
７７ｂ  貫通孔
７８  防振部材
８０  隙間
８０ａ  防振部材
【図１】
2004190280.tif 000003
【図２】
2004190280.tif 000004
【図３】
2004190280.tif 000005
【図４】
2004190280.tif 000006
【図５】
2004190280.tif 000007
【図６】
2004190280.tif 000008
【図７】
2004190280.tif 000009
【図８】
2004190280.tif 000010
【図９】
2004190280.tif 000011
【図１０】
2004190280.tif 000012
【図１１】
2004190280.tif 000013
【図１２】
2004190280.tif 000014
【図１３】
2004190280.tif 000015
【図１４】
2004190280.tif 000016
【図１５】
2004190280.tif 000017